(57)【特許請求の範囲】
【請求項１】
外枠筐体内に設けられた水槽と、前記水槽内に回転自在に設けられ洗濯物を収納する洗濯乾燥槽と、冷媒を圧縮する圧縮機，圧縮された冷媒の熱を放熱する放熱器，圧縮された冷媒の圧力を減圧する調整弁，減圧されて低圧となった冷媒が周囲から熱を奪う吸熱器を備えるヒートポンプ装置とを有し、
前記水槽の下部に圧縮機用支持部材を設け、
前記圧縮機用支持部材に振動緩衝部材を介して前記圧縮機を支持し、
前記圧縮機用支持部材はＵ字形状を有し、内側に前記圧縮機が挿入されるように支持されることを特徴とする洗濯乾燥機。
【請求項２】
外枠筐体内に設けられた水槽と、前記水槽内に回転自在に設けられ洗濯物を収納する洗濯乾燥槽と、冷媒を圧縮する圧縮機，圧縮された冷媒の熱を放熱する放熱器，圧縮された冷媒の圧力を減圧する調整弁，減圧されて低圧となった冷媒が周囲から熱を奪う吸熱器を備えるヒートポンプ装置とを有し、
前記水槽の下部に圧縮機用支持部材を設け、前記圧縮機用支持部材に振動緩衝部材を介して前記圧縮機を支持し、
前記圧縮機用支持部材が前記水槽内の前後に二つ並んで設けられ、前側の圧縮機用支持部材に前記圧縮機の前側を、後側の圧縮機用支持部材に前記圧縮機の後側を支持したことを特徴とする洗濯乾燥機。
【請求項３】
請求項２記載の洗濯乾燥機において、
前記圧縮機用支持部材と前記水槽とが合成樹脂で一体に形成されていることを特徴とする洗濯乾燥機。
【請求項４】
請求項３記載の洗濯乾燥機において、
前記振動緩衝部材は、内周側が前記圧縮機の外周に嵌合し、外周側が前記圧縮機用支持部材の内側に嵌合する環状形状を有することを特徴とする洗濯乾燥機。
【請求項５】
請求項４記載の洗濯乾燥機において、
前側の前記振動緩衝部材は前記圧縮機の前部側端面に当接する内向鍔を有し、
後側の前記振動緩衝部材は、前記圧縮機の後部側端面に当接する内向鍔を有することを特徴とする洗濯乾燥機。
【請求項６】
請求項５記載の洗濯乾燥機において、
後側の前記圧縮機用支持部材は、後端側に後側の前記振動緩衝部材を受け止める内向受止鍔を設けたことを特徴とする洗濯乾燥機。
【請求項７】
請求項５記載の洗濯乾燥機において、
前記圧縮機は、前部側端面に外向きに延びる固定アームを有し、
前記固定アームを弾性部材を介して前側の前記圧縮機用支持部材に当接し、かつネジを含む締め付け部材で固定アームを圧縮機用支持部材に締結したことを特徴とする洗濯乾燥機。
【発明の詳細な説明】
【技術分野】
【０００１】
本発明は、ヒートポンプ装置を搭載したドラム式の洗濯乾燥機にあって、ヒートポンプ装置の取り付け支持に関するものである。
【背景技術】
【０００２】
ヒートポンプ装置を搭載した洗濯乾燥機は、特開昭６４−３２８９３号公報（特許文献１）に記載されているが、圧縮機及びその他の関連部品は外槽ではなく外枠筐体に配置されている。
【０００３】
【特許文献１】特開昭６４−３２８９３号公報
【発明の開示】
【発明が解決しようとする課題】
【０００４】
特許文献１に示される洗濯乾燥機は、圧縮機及びその他の関連部品が外枠筐体に配置されている。外枠筐体は外槽と違って強く大きく振動しないので、振動の面では有利である。
【０００５】
しかし、洗濯乾燥槽を含む外槽に導く通風ダクトに可撓性を有する複雑な構成を備えなければならない。また、放熱器と吸熱器を外槽に載置すると、通風ダクトの可撓性を有する複雑な構成を備える必要はなくなるが、冷媒管を連通する連通管に可撓性を有する複雑な構成を備えなければならない。
【０００６】
本発明は、上記の問題に鑑み、通風ダクトや連通管の構成が簡単であり、外槽の大きな強い振動でも圧縮機が支障なく支持できる洗濯乾燥機を提供することを目的とする。
【課題を解決するための手段】
【０００７】
本発明は、外枠筐体内に設けられた水槽と、水槽内に回転自在に設けられ洗濯物を収納する洗濯乾燥槽と、冷媒を圧縮する圧縮機，圧縮された冷媒の熱を放熱する放熱器，圧縮された冷媒の圧力を減圧する調整弁，減圧されて低圧となった冷媒が周囲から熱を奪う吸熱器を備えるヒートポンプ装置とを有し、圧縮機が水槽の下部に振動緩衝部材を介して支持されたことを特徴とする。
【発明の効果】
【０００８】
本発明によれば、冷媒管を連通する連通管の構成が簡単で、かつ水槽から圧縮機に伝わる強い大きな振動が緩和される洗濯乾燥機を提供することができる。
【発明を実施するための最良の形態】
【０００９】
本発明の実施例について、図面を引用して説明する。
【００１０】
図１に示すように、ドラム式の洗濯乾燥機は、外枠筐体１の内側に外槽２が置かれる。外槽２は、前後の中央が複数個のサスペンション３により下方から支持される。また外槽２はその上部から引きバネ４により吊り下げ支持される。
【００１１】
サスペンション３は、外槽２を含む全重量を支持するものであり、強固な弾性支持構成を有し、外枠筐体１の外枠ベース２０に固定されている。特に脱水運転時に生じる外槽２の強い上下振動を吸収し、脱水起動時に発生する外槽２の異常振動を防止するための減衰機構などが設けられている。
【００１２】
サスペンション３の取付け位置は外槽２のほぼ重心位置に設けられる。後方に位置するほど斜めの洗濯乾燥槽（ドラム）１１の場合は、サスペンション３の高さが低くなるので、ストロークがとれなくなる。
【００１３】
このため、サスペンションでの減衰機構部が製作し難いので、重心位置は外槽２のほぼ中心側に位置した方が、後方に位置するよりもサスペンションの高さを高くとることができるのでよい。
【００１４】
また、外槽２の上部から吊り下げ支持する引きバネ４は、外槽２の倒れ防止を兼ねた支持や脱水時の上下・左右振動を低減するために設けられている。
【００１５】
外枠筐体１の上側内部には、給水電磁弁６、洗剤投入ケース８が設けられる。洗剤投入ケース８は、注水ホース７により給水電磁弁６と連通接続される。給水電磁弁６には、給水ホース５が接続される。給水ホース５の先端は水道の蛇口（図示せず）に接続される。
【００１６】
洗濯やすすぎ時には、給水電磁弁６が開放操作され、注水ホース７から洗剤投入ケース８に洗濯やすすぎに必要な水が供給される。
【００１７】
洗剤投入ケース８には、洗濯に必要な洗剤が投入される。また、すすぎ時に、洗濯物９の仕上がりを良くするための柔軟仕上げ剤が洗剤投入ケース８に設けられた仕上げ剤を溜めるケース部に投入され、必要な時に外槽２に自動的に投入される。
【００１８】
すなわち、洗濯時に、注水ホース７から供給された水により、洗剤投入ケース８内で洗剤が溶かされ、フレキシブルホース１０を流れて外槽２の上部から内部に投入される。
【００１９】
洗濯乾燥槽（ドラム）１１は、外槽２に回動自在に内置される。前側に投入口が設けられた有底円筒形を有する洗濯乾燥槽（ドラム）１１は、投入口１１ａが斜め上向きになるように回転軸心線を傾斜させて置かれる。
【００２０】
回転軸心線は、水平線に対する傾き角度θを１５度にとっている。洗濯乾燥槽１１の傾斜は、洗濯物の取り出しなどから１５度程度が望ましいが、（５〜３０）度程度の範囲内で傾き角度θを選択できる。
【００２１】
外槽２は、洗濯乾燥槽１１と同じように前側に投入口１１ｂが設けられた有底円筒形を有し、投入口が斜め上向きになるように中心（中央）を通る中心軸線を傾斜させて置かれる。
【００２２】
外槽２の中心軸線は、洗濯乾燥槽１１の回転軸心線と同じ傾斜角度で、かつ同心上に重なるように置かれる。
【００２３】
外枠筐体１は、前側に投入口１１ｃを有する。外枠筐体１の投入口１１ｃは、洗濯乾燥槽１１、および外槽２の投入口と同じ向きに揃えて設けられ、開閉自在なる外蓋１２が備わる。洗濯物の出し入れは、外蓋１２を開けて行う。
【００２４】
ベローズ２１は、外枠筐体１の投入口１１ｃの口縁部と、外槽２の投入口１１ｂの内縁部に水密的に取付けられる。外枠筐体１と外槽２の間の水密は弾性体で出来ているベローズ２１により保たれる。外蓋１２は、内側がベローズ２１に密着するので、外枠筐体１の投入口１１ｃから外部への漏水は生じない。
【００２５】
洗濯乾燥槽１１は、投入口１１ａの外周にバランサー１３を有する。このバランサー１３により、脱水時の振動が低減される。また、洗濯乾燥槽１１は、円筒部に複数の脱水穴１４を有する。脱水時に、洗濯物９に含まれている水分が脱水穴１４により遠心力で外槽２内に脱水される。
【００２６】
洗濯乾燥槽１１の円筒部には、複数（３本）のリフター１６が設けられる。このリフター１６は、回転軸心線の方向に沿って延在する。リフター１６の高さは、通常は長手方向に亘ってほぼ同じ高さである。奥側に位置する洗濯物９の動きを良くするため、リフター１６は洗濯乾燥槽１１の回転軸心に対してほぼ水平（下側に位置した際での水平）とすることもある。複数（３本）のリフター１６は３本の場合、１２０度の等間隔で配置される。
【００２７】
ＤＣブラシレスモータ１９は、外槽２の後部外面に取付け固定される。このＤＣブラシレスモータ１９は、洗濯乾燥槽１１を回転駆動する駆動源である。
【００２８】
洗濯乾燥槽１１は、円筒部の底側である後端にフランジ１７を有する。フランジ１７に設けた主軸１８は、ＤＣブラシレスモータ１９のロータ側に結合される。こうして、洗濯乾燥槽１１は、駆動源のＤＣブラシレスモータ１９を介して外槽２に回転自在に支持される。
【００２９】
排水電磁弁２２は、外槽２の後下部に設けられ、排水ホース２３が接続される。排水電磁弁２２を開放操作することにより、外槽２に溜まっていた洗濯水やすすぎ水は、排水ホース２３を通じて機外に排水される。
【００３０】
次にヒートポンプ装置、及び関連するところを含めて、図１〜図７を引用して説明する。
【００３１】
ヒートポンプ装置は、図１、図２に示すように、圧縮機１５、吸熱器５２、放熱器５３、減圧用の調整弁２６、冷媒が流れる管路２５等を有する。このヒートポンプ装置は、外槽２に取り付け支持されるように設けられる。
【００３２】
圧縮機１５は、出力が４００Ｗ程度である。圧縮された冷媒は圧縮機１５の出力の約３〜６倍の熱エネルギーが得られる。
【００３３】
また、圧縮機の種類としてはレシプロ方式、ロータリ方式及びリニヤー方式がある。いずれの方式を使用してもよい。
【００３４】
しかし、ヒートポンプ装置の全体サイズをコンパクトにする必要から圧縮機用駆動用モータはネオジマグネットで作られた希土類の磁石を使用したＤＣブラシレスモータを採用したリニヤー方式にすることにより、騒音、振動が小さく、効率の良い圧縮機用モータにすることができる。
【００３５】
圧縮機１５は、外槽２の外側下面の前端側に取り付け支持される。吸熱器５２は、外槽２の外側後面の上側寄りに取り付け支持される。放熱器５３は、外槽２の下部内側に配置される。
【００３６】
吸熱器５２の内部には、冷媒が流れる吸熱用の冷媒管５２ａ（図２に図示）が備わる。放熱器５３の内部には、放熱用の冷媒管５３ａ（図２に図示）が備わる。吸熱器５２の冷媒管５２ａ、放熱器５３の冷媒管、圧縮機１５は、連通管２５で連通される。
【００３７】
放熱器５３の冷媒管と吸熱器５２の冷媒管５２ａを連通する連通管２５には、減圧用の調整弁２６が介在される。圧縮機１５で圧縮された冷媒は、放熱器５３に流れる。さらに放熱器５３から調整弁２６を経て吸熱器５２に流れ、連通管２５を経て圧縮機１５に戻る循環が行われる。
【００３８】
冷媒は二酸化炭素等が使用される。この冷媒の循環サイクルにより、放熱器５３は放熱作用を、吸熱器５２は吸熱作用を行う。
【００３９】
循環ダクト６４は、乾燥用空気が流通する乾燥用空気循環路を構成する。循環ダクト６４の吹出口６３は、外槽２の前側下部に内部に向けて設けられる。循環ダクト６４の流入口側は吸熱器５２の流出部に連通するように接続される。
【００４０】
吸熱器５２の吸気部は、外槽２の後部の排気口２ａに連通するように接続される。乾燥用空気循環路は、外槽２の内部、洗濯乾燥槽１１の内外、循環ダクト６４、吸熱器５２を含めて構成される。送風ファン２４は、乾燥用空気循環路中で、排気口２ａと吸熱器５２の吸気部との間に設けられる。
【００４１】
乾燥用空気は、吹出口６３から外槽２内に吹き込まれ、洗濯乾燥槽１１を流れ、排気口２ａから吸熱器５２に流れ、循環ダクト６４を経て吹出口６３に流れる循環が繰り返し行われる。
【００４２】
次に圧縮機の支持構成（圧縮機用支持部材ないし振動緩衝部材）ついて、図１〜図８を引用して説明する。
【００４３】
二つの圧縮機用支持部材１００、１０１は、外槽２の前側下部に前後に並んで設けられる。前側から見ると、二つの圧縮機用支持部材１００、１０１は、Ｕ字形状を有し、合成樹脂の材料により外槽２と一体に形成される。
【００４４】
圧縮機用支持部材の付け根には、補強用リブ１０２を設けて丈夫にしている。圧縮機用支持部材を外槽２と同じ合成樹脂で一体に形成するので、作り易い。ただし、圧縮機用支持部材を外槽２と別体に形成し、付け根をネジ止構造にすることも可能である。
【００４５】
また、圧縮機用支持部材は、Ｕ字形状（底側がつながった形状）を有するので、底側が切れている構造に比べ、丈夫である。重い圧縮機を支持するのに好適である。
【００４６】
二つの振動緩衝部材１０３、１０４は、図５に示すように、圧縮機１５の前側外周と後側外周に嵌まるように取り付けられる。ゴム等の弾性体で作られる振動緩衝部材１０３、１０４は、振動を良く吸収する。
【００４７】
振動緩衝部材１０３、１０４は、圧縮機用支持部材１００、１０１の内側に嵌る。圧縮機１５は、振動緩衝部材１０３、１０４を介して圧縮機用支持部材１００、１０１に支持されるので、防振支持されることになる。圧縮機１５の前後が防振支持されるので、丈夫で安定した防振支持が行なわれる。
【００４８】
前側の振動緩衝部材１０３は、圧縮機１５の前部側端面に当接する内向鍔１０５を有する。内向鍔１０５が圧縮機１５の前部側端面に当接するので、圧縮機１５の前部外周に保持され、位置ずれがしないので安定した防振支持が行なわれる。
【００４９】
後側の振動緩衝部材１０４は、圧縮機１５の後部側端面に当接する内向鍔１０６を有する。内向鍔１０６が圧縮機１５の後部側端面に当接するので、圧縮機１５の後部外周に保持され、位置ずれがしないので安定した防振支持が行なわれる。
【００５０】
振動緩衝部材１０３、１０４は、厚肉の上側部と薄肉の下側部が連なる環状形状を有する。上側部と下側部を別体に形成することもできるが、環状に一体に形成することにより、組み立てが容易になる。
【００５１】
後側の圧縮機用支持部材１０１は、後側に内向受止鍔１０７を有する。この内向受止鍔１０７で、後側の振動緩衝部材１０４が受け止められるので、圧縮機１５は位置ずれすることなく、所定の位置に保持される。
【００５２】
また、圧縮機１５は、前側の圧縮機用支持部材１００から後側の圧縮機用支持部材１０１に向けて挿入して支持される。この挿入支持では、圧縮機１５が内向受止鍔１０７を受け止められるので組み立が容易に行なわれる。
【００５３】
圧縮機１５は、前部側端面に一対の固定アーム１０８を有する。二つの固定アーム１０８はＬ字形状を有し、互い外側に向けて延びるように形成される。
【００５４】
固定アーム１０８は、弾性部材１０９を介してネジ１１０により前側の圧縮機用支持部材１００に締め付け固定される。弾性部材１０９は、弾性部材片１０９Ａ、１０９Ｂを有する。
【００５５】
座金１１１は、ネジ１１０の頭部と弾性部材片１０９Ａとの間に介在される。圧縮機用支持部材１００のネジ穴１１３に螺合するネジ１１０は、座金１１１が介在するので、弾性部材片１０９Ａに食い込まなく、強く締め付けることができる。
【００５６】
弾性部材片１０９Ａは、固定アーム１０８の通し穴に嵌るボス部１１２を有する。ネジ１１０はボス部１１２の中心を貫いてネジ穴１１３に螺合するので、ネジ１１０と通し穴の間にはボス部１１２が介在する。このため、ネジ１１０と固定アーム１０８に位置ずれが生じてもネジ１１０と固定アーム１０８が直に接することがなく、振動吸収が良く行なわれる。
【００５７】
弾性部材片１０９Ｂは、固定アーム１０８と圧縮機用支持部材１００との間に介在して振動吸収を吸収し、振動の伝達を断つようにしている。弾性部材片１０９Ｂは、弾性部材片１０９Ａと別体であるので、図８に示す弾性部材１１４に比べ、組み立てがし易い。
【００５８】
図８に示す弾性部材１１４は、固定アーム１０８の通し穴に嵌め込むには、下側になる弾性部材片を押し潰すようにして嵌めこむので組み立てがし難い。この弾性部材１１４を使用するには、固定アーム１０８に弾性部材１１４を差し込むための溝を設けて通し穴への差込をし易くすることが望ましい。
【００５９】
このようにネジ１１０で、固定アーム１０８を前側の圧縮機用支持部材１００に締結することにより、圧縮機１５は圧縮機用支持部材１００、１０１に脱落ことなく確実に固定支持される。
【００６０】
この固定支持は、圧縮機１５の荷重を圧縮機用支持部材１００、１０１で受け止め、圧縮機１５の抜け出しをネジ１１０で止めるようにしているので、圧縮機１５の重い（５〜１０Ｋｇ）重量を確実に支持することが出来る。
【００６１】
また、特に脱水運転時に外槽２が強く大きく振動しても、圧縮機１５は振動緩衝部材や弾性部材を介して圧縮機用支持部材１００、１０１に支持固定されているので、圧縮機１５に伝わる振動は少なくなる。圧縮機は支障なく支持されるのである。
【００６２】
次に乾燥運転について説明する。
【００６３】
洗濯乾燥槽１１内を流れる乾燥用空気は、洗濯物に含まれる水分を吸収する。洗濯乾燥槽１１内は、放熱器５３から放熱される熱で暖められているので、水分の吸収が良く行われる。水分を吸収した高温多湿の乾燥空気は、送風ファン２４に引かれて吸熱器５２内を流れ、循環ダクト６４を経て洗濯乾燥槽１１内に戻る。
【００６４】
高温多湿の乾燥用空気が吸熱器５２内を通過する際に冷却されるので、乾燥空気に含まれる水分は凝縮水となって奪取される。奪取された凝縮水は、結露水用排水ホース２７、排水電磁弁２２、排水ホース２３を流れて機外に排出される。
【００６５】
吸熱器５２内で水分の抜けた乾燥空気は、低湿度になって再び洗濯乾燥槽１１に流入して洗濯物に含まれる水分を吸収する。この乾燥用空気の循環が繰り返されて洗濯物の乾燥が行われる。
【００６６】
洗濯運転について説明する。
【００６７】
この洗濯乾燥機は、所謂、ドラム式の洗濯乾燥機である。このため、縦型の洗濯機に比べ、洗濯水が少なくて済む。洗濯水６２の水位は、洗濯乾燥槽１１の下部側に達する程度である。
【００６８】
この少ない洗濯水のもとで、洗濯乾燥槽１１を回して洗濯やすすぎが行なわれる。洗濯乾燥槽１１は、毎分約５０回転程度のゆっくりした速度で回わされ、掻き揚げた洗濯物が落下して叩きつけられる叩き洗いが行われる。
【００６９】
この洗濯運転ではホートポンプ装置の運転は行われる。
【００７０】
次に図９を引用してドラム式の洗濯乾燥機の運転工程について説明する。
【００７１】
この運転工程は、洗濯物９に付着した汚れを落したり、またすすぎで洗剤分をすすいだり、また洗濯物９に含まれた水分を洗濯乾燥槽１１の回転により脱水穴１４から遠心力で脱水したり、それらの水分を排水することを自動的に行う一般的な自動洗濯コースを示すブロック図である。
【００７２】
先ず、給水電磁弁６の操作により給水２８が行われる。
【００７３】
洗い２９では洗濯に必要な水が外槽２内に給水されると、ＤＣブラシレスモータ１９が回転して洗濯乾燥槽１１を駆動回転する。
【００７４】
この時、洗濯乾燥槽１１の回転速度は毎分４０〜５０回転くらいで、休止を間において右回転、左回転を数分間行い、洗濯物９が洗濯乾燥槽１１内のリフター１６によりかき上げられながら、叩き洗いにより洗濯される。この洗濯運転中に放熱器５３に放熱により洗濯水が加熱され、洗浄が促進される。
【００７５】
洗い２９が終了すると、洗濯物９から流出た汚れを含む洗濯水を洗濯乾燥機の機外に排出する排水３０へ移行する。
【００７６】
排水が終了した後、洗濯物９に含まれている洗剤分を脱水する脱水３１へ移行する。脱水３１では、洗濯乾燥槽１１を高速回転して洗濯物９を遠心力により洗濯乾燥槽１１の内壁に複数個設けられた脱水穴１４より洗濯物に含まれる水が脱水される。
【００７７】
脱水３１が終了すると、洗濯物９に含まれた洗剤分をすすぐ、すすぎ３３へと移行する。
【００７８】
すすぎ３３の運転に入る前に、洗い時２９と同じように清水を給水する給水３２にて必要な清水を外槽２内に給水する。
【００７９】
一般的に、すすぎに必要な清水は洗い時と同じく、約３０Ｌ程度の給水が行われる。
【００８０】
規定量の清水が給水されると、すすぎ３３に自動的に進行し、洗い時２９と同じように洗濯乾燥槽１１が低速で反転しながら回転し、洗濯物９にふくまれた洗剤分を除去する。
【００８１】
すすぎ終了後の排水−脱水−すすぎ（２）−排水は前述した動作と同じように行われ、最後に洗濯物９に含まれる水分を十分に脱水する最終脱水３８へ移行する。
【００８２】
最終脱水３８の脱水時間は一般的に５分以上で洗濯乾燥槽１１を高速にて回転させ洗濯物９の水分を除去するものであり、この時の脱水率は６０〜６５％に至る。
【００８３】
なお、ドラム式の洗濯乾燥機にヒートポンプ装置を設けて、洗いから乾燥まで自動的に進行するドラム式の洗濯乾燥機の場合などは、最終脱水３８が終了した後、自動的に乾燥工程３９へ移行する。
【００８４】
乾燥工程３９では、洗濯物９の水分が脱水工程で十分に除去された後、図２で説明したヒートポンプ装置により放熱器５３で熱交換された温風の乾燥用空気を洗濯物９に吹き付けながら洗濯乾燥槽１１を毎分約５０回転くらいの速度で反転もしくは一方向に回転させて洗濯物９の水分を除去し乾燥させるものである。
【００８５】
乾燥工程では、洗濯物９の乾燥が行なわれる。洗濯乾燥槽１１内で洗濯物の水分が乾燥用空気に吸収され、送風ファン２４に吸われて吸熱器５２へ送られた乾燥用空気より水分が凝縮水をして奪取される。奪取された結露水（凝縮水）は結露水排水ホース２７を通して排水される。
【００８６】
除湿された乾燥用空気は、循環ダクト６４を流れて吹出口６３から洗濯乾燥槽１１内に洗濯乾燥槽１１内へ送り込まれる。
【００８７】
放熱器５３は洗濯乾燥槽１１および外槽２を加熱して洗濯物９の乾燥を促進する。乾燥終了後は、自動的に終了４０へ移行して洗濯乾燥コースを終了する。
【００８８】
次に図１０の回路ブロック図を引用してドラム式の洗濯乾燥機の駆動について説明する。
【００８９】
電源４１はＡＣ１００Ｖ５０／６０Ｈｚに接続され、先ず電源スイッチ４２を投入する。
【００９０】
通電された電源は、電源ラインノイズや空中電波ノイズをカットするフルター回路４３を介在して、ＤＣブラシレスモータ１９の駆動電源である整流回路４４で交流電源から高圧の直流電源に変換し、ＤＣブラシレスモータ駆動回路であるＤＣインバータ駆動回路４５に供給する。
【００９１】
ＤＣインバータ駆動回路４５はＤＣブラシレスモータＵ相４６、Ｖ相４７、Ｗ相４８の各相コイルにマイコン４９の制御指令により、電気角１２０度もしくは１８０度で電源を供給するＩＧＰＴ素子回路から構成されており運転制御される。
【００９２】
ＤＣブラシレスモータ１９の回転制御は、複数個の磁石を有したロータ（図省略）の回転により、ＤＣブラシレスモータ１９の外周部に固定して設置されているＩＣホール素子５０からの信号をマイコン４９に取り込み回転数を制御して洗濯乾燥槽１１の回転速度を調整している。
【００９３】
また、洗い時に洗濯物９に付着した汚れや洗剤分を除去するすすぎ時に必要な清水はマイコン４９の指令により、駆動回路部５１に接続された給水電磁弁６に通電されて給水される。また排水時においては、排水電磁弁２２の開放操作を行い、洗濯乾燥機の機外に汚れた水を排水する。
【００９４】
また、乾燥時には、ヒートポンプ装置の圧縮機１５や、減圧調整弁２６、送風ファン２４の運転制御が行われる。
【図面の簡単な説明】
【００９５】
【図１】本発明の実施例に係わるもので、洗濯乾燥機の縦断面図を示す。
【図２】本発明の実施例に係わるもので、乾燥運転工程での洗濯乾燥機の内部拡大図である。
【図３】本発明の実施例に係わるもので、外槽と圧縮機を前側から見たところを示す図である。
【図４】本発明の実施例に係わるもので、圧縮機用支持部材に支持された圧縮機を正面から見たところを示す図である。
【図５】本発明の実施例に係わるもので、振動緩衝部材が取り付けられた圧縮機を示す図である。
【図６】本発明の実施例に係わるもので、圧縮機用支持部材を示す図である。
【図７】本発明の実施例に係わるもので、図３のＡ−Ａ断面図である。
【図８】本発明の他の実施例に係わるもので、弾性部材の単品図である。
【図９】本発明の他の実施例に係わるもので、洗濯乾燥機の運転工程を示す図である。
【図１０】本発明の実施例に係わるもので、回路ブロック図である。駆動回路図を示す。
【符号の説明】
【００９６】
１…外枠筐体、２…水槽、９…洗濯物、１１…洗濯乾燥槽、１５…圧縮機、１６…放熱器、２６…調整弁、５２…吸熱器、１０３，１０４…圧縮機用支持部材、１０３，１０４…振動緩衝部材。
【図１】
0004652956.tif 000002
【図２】
0004652956.tif 000003
【図３】
0004652956.tif 000004
【図４】
0004652956.tif 000005
【図５】
0004652956.tif 000006
【図６】
0004652956.tif 000007
【図７】
0004652956.tif 000008
【図８】
0004652956.tif 000009
【図９】
0004652956.tif 000010
【図１０】
0004652956.tif 000011